(57)【要約】【課題】カセッテに収納されて供給される放射線変換パネル、例えば、蓄積性蛍光体パネルの被曝を確実に回避することのできる放射線画像情報読取装置及びその制御方法を提供する。【解決手段】カセッテ装填部３８に蓄積性蛍光体パネルＰを収納したカセッテ２４が装填されているとき、蓄積性蛍光体パネルＰをケーシング３６内に移動させた後、撮影装置に撮影許可信号を出力し、撮影が終了した後、蓄積性蛍光体パネルＰをカセッテ２４に収納する。【選択図】図２
2008090220.tif 000002
【特許請求の範囲】
【請求項１】
放射線画像情報が記録される放射線変換パネルを収納するカセッテが着脱自在に装填される装填部と、
前記放射線変換パネルに記録された前記放射線画像情報を読み取る読取部と、
前記カセッテと前記読取部との間で前記放射線変換パネルを搬送する搬送手段と、
被写体に放射線を照射することで前記放射線画像情報を前記放射線変換パネルに記録する撮影装置に連動して、前記装填部における前記放射線変換パネルの有無を判定する判定手段と、
を備え、前記カセッテは、一部が前記装填部から外部に突出した状態で装填されることを特徴とする放射線画像情報読取装置。
【請求項２】
請求項１記載の装置において、
前記放射線変換パネルを待避させる待避部と、
前記待避部を放射線に対して遮蔽状態とする遮蔽手段と、
を備え、前記判定手段により前記放射線変換パネルが前記装填部に有ると判定されたとき、前記搬送手段を制御し、前記放射線変換パネルを前記装填部から前記待避部に移動させることを特徴とする放射線画像情報読取装置。
【請求項３】
請求項１記載の装置において、
前記放射線変換パネルに記録された前記放射線画像情報を消去する消去部を備え、前記搬送手段は、前記放射線変換パネルを前記消去部に搬送することを特徴とする放射線画像情報読取装置。
【請求項４】
請求項２記載の装置において、
前記遮蔽手段は、当該放射線画像情報読取装置を構成するケーシングであり、前記待避部は、前記ケーシング内に配置されることを特徴とする放射線画像情報読取装置。
【請求項５】
請求項２記載の装置において、
前記放射線変換パネルを前記待避部に移動させた後、前記放射線変換パネルの撮影を許可する撮影許可信号を前記撮影装置に出力する撮影許可信号出力手段を備えることを特徴とする放射線画像情報読取装置。
【請求項６】
請求項１記載の装置において、
前記判定手段は、前記撮影装置による撮影を行う際に、前記放射線変換パネルの有無を判定する処理を行うことを特徴とする放射線画像情報読取装置。
【請求項７】
請求項１〜６のいずれか１項に記載の装置において、
当該放射線画像情報読取装置には、前記撮影装置が併設され、前記放射線画像情報読取装置及び前記撮影装置が台車に載置されて搬送可能に構成されることを特徴とする放射線画像情報読取装置。
【請求項８】
放射線変換パネルを収納するカセッテの一部が外部に突出した状態で装填され、前記カセッテから取り出された前記放射線変換パネルに記録された放射線画像情報を読み取る放射線画像情報読取装置の制御方法であって、
前記カセッテが装填される装填部における放射線変換パネルの有無を判定し、前記装填部に前記放射線変換パネルが有ると判定されたとき、放射線画像情報の撮影処理を禁止し、あるいは、前記放射線変換パネルを前記カセッテから取り出して当該放射線画像情報読取装置内の放射線を遮蔽する待避部に移動させることを特徴とする放射線画像情報読取装置の制御方法。
【請求項９】
請求項８記載の方法において、
前記放射線変換パネルを前記待避部に移動させた後、前記放射線変換パネルの撮影を許可する撮影許可信号を出力することを特徴とする放射線画像情報読取装置の制御方法。
【発明の詳細な説明】
【技術分野】
【０００１】
本発明は、放射線変換パネルに記録された放射線画像情報を読み取る放射線画像情報読取装置及びその制御方法に関する。
【背景技術】
【０００２】
例えば、ある種の蛍光体に放射線（Ｘ線、α線、β線、γ線、紫外線、電子線等）を照射すると、この放射線のエネルギの一部が蛍光体に蓄積され、その後、その蛍光体に可視光等の励起光を照射すると、蓄積されたエネルギに応じた輝尽発光光が出力される。
【０００３】
このような蛍光体からなる蓄積性蛍光体パネルを利用し、撮影装置を用いて人体等の被写体の放射線画像情報を蓄積性蛍光体パネルに蓄積記録した後、読取装置を用いて、放射線画像情報が記録された蓄積性蛍光体パネルを励起光で走査し、得られる輝尽発光光を光電的に読み取って画像信号に変換し、この画像信号を処理して診断適性に優れた画像を得る放射線画像情報処理システムが開発されている。
【０００４】
この場合、放射線画像情報の読み取られた蓄積性蛍光体パネルは、蛍光体の励起光波長領域の光を含む消去光を照射し、残存する放射線画像情報を消去することにより、繰り返し使用することができる。
【０００５】
そこで、被写体を介して放射線が照射される撮影台と、蓄積性蛍光体パネルに記録された放射線画像情報を読み取る読取部と、蓄積性蛍光体パネルに消去光を照射することで消去処理を行う消去部とを循環搬送路で連結し、撮影台、読取部及び消去部間で蓄積性蛍光体パネルを循環搬送させて放射線画像情報を取得するようにした放射線画像情報記録読取装置が提案されている。
【０００６】
ところで、このように撮影台を一体化した放射線画像情報記録読取装置では、内部に収納されている蓄積性蛍光体パネルとは別に、撮影台に外部から蓄積性蛍光体パネルを装着して撮影を行うことがある。この場合、撮影に係わらない内部の蓄積性蛍光体パネルが撮影台の近傍に移動していると、その蓄積性蛍光体パネルが被曝してしまうおそれがある。
【０００７】
そこで、特許文献１、２に開示された従来技術では、撮影台に蓄積性蛍光体パネルを装着して撮影を行う際、内部の蓄積性蛍光体パネルを所定の待避位置に移動させることで、被曝を回避するようにしている。
【０００８】
【特許文献１】特開昭６０−２５６１３４号公報
【特許文献２】特開平４−１５３６４４号公報
【発明の開示】
【発明が解決しようとする課題】
【０００９】
しかしながら、いずれの従来技術の場合も、放射線画像情報記録読取装置に予め内蔵されている蓄積性蛍光体パネルを所定の待避位置に移動させるものであって、撮影装置とは独立に構成された読取装置に供給される蓄積性蛍光体パネルを所定の待避位置に移動させるものではない。
【００１０】
撮影装置とは独立に構成された読取装置の場合、蓄積性蛍光体パネルを収納したカセッテが読取装置の装填部に装填された状態で、近傍に配設された撮影装置により撮影処理が行われると、カセッテ内の蓄積性蛍光体パネルが被曝してしまうおそれがある。
【００１１】
本発明は、前記の不具合を解消するためになされたものであって、カセッテに収納されて供給される放射線変換パネル、例えば、蓄積性蛍光体パネルの被曝を確実に回避することのできる放射線画像情報読取装置及びその制御方法を提供することを目的とする。
【課題を解決するための手段】
【００１２】
本発明の放射線画像情報読取装置は、放射線画像情報が記録される放射線変換パネルを収納するカセッテが着脱自在に装填される装填部と、
前記放射線変換パネルに記録された前記放射線画像情報を読み取る読取部と、
前記カセッテと前記読取部との間で前記放射線変換パネルを搬送する搬送手段と、
被写体に放射線を照射することで前記放射線画像情報を前記放射線変換パネルに記録する撮影装置に連動して、前記装填部における前記放射線変換パネルの有無を判定する判定手段と、
を備え、前記カセッテは、一部が前記装填部から外部に突出した状態で装填されることを特徴とする。
【００１３】
また、本発明の放射線画像情報読取装置の制御方法は、放射線変換パネルを収納するカセッテの一部が外部に突出した状態で装填され、前記カセッテから取り出された前記放射線変換パネルに記録された放射線画像情報を読み取る放射線画像情報読取装置の制御方法であって、
前記カセッテが装填される装填部における放射線変換パネルの有無を判定し、前記装填部に前記放射線変換パネルが有ると判定されたとき、放射線画像情報の撮影処理を禁止し、あるいは、前記放射線変換パネルを前記カセッテから取り出して当該放射線画像情報読取装置内の放射線を遮蔽する待避部に移動させることを特徴とする。
【発明の効果】
【００１４】
本発明の放射線画像情報読取装置及びその制御方法では、撮影装置に連動して、装填部における放射線画像情報の有無を判定することにより、装填部に放射線画像情報が有ると判定されたとき、放射線画像情報の撮影を禁止し、あるいは、撮影に先立って放射線変換パネルを放射線画像情報読取装置内に移動させることにより、放射線変換パネルを被曝されることのない良好な状態で保持することができる。
【発明を実施するための最良の形態】
【００１５】
図１は、本発明の放射線画像情報読取装置及びその制御方法が適用される放射線画像形成システム１０の構成を示す。放射線画像形成システム１０は、台車１２に載置された状態で病室等に搬送可能に構成される。
【００１６】
台車１２には、放射線画像情報を撮影するための撮影情報等を入力し、あるいは、外部から取得するためのディスプレイを備えたコンソール１４と、コンソール１４から供給された撮影情報に従ってＸ線源１６を制御し、被写体１８にＸ線２０を照射するＸ線源制御装置２２と、被写体１８を透過したＸ線２０が照射されることで放射線画像情報が記録される蓄積性蛍光体パネルＰ（放射線変換パネル）を収納したカセッテ２４が装填され、前記蓄積性蛍光体パネルＰから放射線画像情報を読み取る読取装置２６と、蓄積性蛍光体パネルＰから読み取られた放射線画像情報を外部に送信する一方、外部から必要な情報を取得する送受信機２８と、コンソール１４、Ｘ線源１６、Ｘ線源制御装置２２、読取装置２６及び送受信機２８に対して電力を供給するバッテリ２７とが載置される。Ｘ線源１６は、アーム部材２９を介してＸ線源制御装置２２に連結される。また、バッテリ２７には、充電器３１が接続されており、必要に応じてバッテリ２７の充電を行うことができる。なお、Ｘ線源１６、Ｘ線源制御装置２２及び後述するＸ線照射スイッチ７６は、撮影装置を構成する。
【００１７】
図２は、読取装置２６の内部構成を示す。ここで、読取装置２６に装填されるカセッテ２４は、開閉自在な蓋部材３０を有するとともに、当該カセッテ２４を識別するためのＩＤ情報が記録された図示しないバーコードが装着されている。
【００１８】
読取装置２６は、ケーシング３６（遮蔽手段）の上部にカセッテ装填部３８を備え、このカセッテ装填部３８には、矢印方向にスライド自在な蓋部材４０が配設される。放射線画像情報が記録された蓄積性蛍光体パネルＰを収納したカセッテ２４は、蓋部材３０を下にした状態でカセッテ装填部３８に装填される。なお、ケーシング３６は、外部からのＸ線２０の侵入を阻止すべく、鉛等の重金属を含む材料で形成される。
【００１９】
カセッテ装填部３８には、カセッテ２４に装着されているバーコードを読み取るバーコードリーダ４２と、カセッテ２４の蓋部材３０のロックを解除するロック解除機構４６と、カセッテ２４から蓄積性蛍光体パネルＰを吸着して取り出す吸着盤４８と、吸着盤４８によって取り出された蓄積性蛍光体パネルＰを挟持搬送するニップローラ５０とが配設される。
【００２０】
ニップローラ５０に連設して、複数の搬送ローラ５２ａ〜５２ｇ及び複数のガイド板５４ａ〜５４ｆが配設され、これらにより湾曲搬送路５６（搬送手段）が構成される。搬送ローラ５２ｃ、５２ｄ間の湾曲搬送路５６は、蓄積性蛍光体パネルＰを搬送方向と直交する方向に幅寄せする幅寄せ部を構成する。湾曲搬送路５６は、カセッテ装填部３８から下方向に延在した後、最下部において略水平状態となり、次いで、略鉛直上方向に延在する。略鉛直上方向に延在する部位は、後搬送路を構成する。このように湾曲搬送路５６を湾曲して構成することにより、読取装置２６の小型化が達成される。
【００２１】
なお、湾曲搬送路５６の各位置は、Ｘ線源１６を用いた撮影時において蓄積性蛍光体パネルＰを待避させる待避部として機能する。また、湾曲搬送路５６の所定部位には、搬送される蓄積性蛍光体パネルＰを検出するセンサ５５ａ〜５５ｄが配設される。
【００２２】
ニップローラ５０と搬送ローラ５２ａとの間には、読取処理が終了した蓄積性蛍光体パネルＰに残存する放射線画像情報を消去するための消去ユニット６０（消去部）が配設される。消去ユニット６０は、消去光を出力する冷陰極管からなる複数の消去光源６２を有する。
【００２３】
一方、湾曲搬送路５６の最下部に配設される搬送ローラ５２ｄ、５２ｅ間には、プラテンローラ６４が配設される。そして、プラテンローラ６４の上部には、蓄積性蛍光体パネルＰに蓄積記録された放射線画像情報を読み取る走査ユニット６６（読取部）が配設される。
【００２４】
走査ユニット６６は、励起光であるレーザビームＬＢを導出して蓄積性蛍光体パネルＰを搬送方向と直交する方向に走査する励起部６８と、レーザビームＬＢによって励起されることで放出される放射線画像情報に係る輝尽発光光を集光する集光ガイド７０と、集光ガイド７０によって集光された輝尽発光光を電気信号に変換するフォトマルチプライヤ７２とを備える。なお、集光ガイド７０の一端部には、輝尽発光光の集光効率を高めるための集光ミラー７４が近接して配設される。
【００２５】
図３は、放射線画像形成システム１０の制御ブロックを示す。Ｘ線源制御装置２２には、作業者の操作によってＸ線源１６を駆動し、Ｘ線２０を被写体１８に照射するＸ線照射スイッチ７６が接続される。
【００２６】
読取装置２６は、読取装置制御部８０（撮影許可信号出力手段、判定手段）を有する。読取装置制御部８０には、読取装置２６の電源スイッチ８２、カセッテ２４を読取装置２６から排出させるためのカセッテ排出ボタン８８、カセッテ２４のバーコードを読み取るバーコードリーダ４２、走査ユニット６６を制御する走査ユニット制御部８４、消去ユニット６０を制御する消去ユニット制御部８６、及び、湾曲搬送路５６を制御して蓄積性蛍光体パネルＰを搬送するパネル搬送制御部９０が接続される。読取装置制御部８０は、蓄積性蛍光体パネルＰを所定の待避部に移動させた後、Ｘ線源１６による撮影を許可する撮影許可信号をＸ線源制御装置２２に出力する。
【００２７】
本実施形態の放射線画像形成システム１０は、基本的には以上のように構成されるものであり、次に、その動作につき図４に示すフローチャートに従って説明する。
【００２８】
先ず、作業者は、放射線画像形成システム１０を台車１２とともに被写体１８の場所、例えば、病室まで移動させ、放射線画像形成システム１０の電源を投入した後、撮影の準備を行う。
【００２９】
作業者は、コンソール１４を操作して、被写体１８の名前、撮影方法等の撮影情報を入力し、あるいは、送受信機２８を介して外部から撮影情報を取得するとともに、被写体１８の放射線画像情報を記録するカセッテ２４を選択し、カセッテ２４に装着されているバーコードを読み取ることで、カセッテ２４のＩＤ情報を取得する。このようにして、撮影情報及びカセッテ２４のＩＤ情報が設定され、撮影準備が完了すると、Ｘ線源制御装置２２は、読取装置２６の読取装置制御部８０に撮影準備完了信号を出力する。
【００３０】
読取装置制御部８０は、Ｘ線源制御装置２２から撮影準備完了信号が入力されると（ステップＳ１）、読取装置２６のカセッテ装填部３８に蓄積性蛍光体パネルＰを収納したカセッテ２４が装填されているか否かを確認する（ステップＳ２）。なお、カセッテ２４の有無は、例えば、カセッテ装填部３８に配設されているバーコードリーダ４２がカセッテ２４のバーコードを読み取ることができるか否かによって判定することができる。
【００３１】
カセッテ装填部３８にカセッテ２４が装填されていると判定された場合、カセッテ２４内に蓄積性蛍光体パネルＰが収納されているか否かを確認する（ステップＳ３）。この場合、本実施形態の読取装置２６では、カセッテ装填部３８に装填されたカセッテ２４から１枚の蓄積性蛍光体パネルＰのみがケーシング３６の内部に供給されて処理されるものとする。従って、例えば、パネル搬送制御部９０が湾曲搬送路５６を制御しておらず、あるいは、湾曲搬送路５６の所定部位に配設されたセンサ５５ａ〜５５ｄが蓄積性蛍光体パネルＰを検出していない場合、蓄積性蛍光体パネルＰがカセッテ２４内に収納されていると判定することができる。
【００３２】
カセッテ２４内に蓄積性蛍光体パネルＰが収納されていると判定された場合、ケーシング３６から一部が露出するカセッテ２４内の蓄積性蛍光体パネルＰが被曝するおそれがあるため、読取装置制御部８０は、カセッテ２４から蓄積性蛍光体パネルＰを取り出してケーシング３６内の所定の待避部に移動させ待避させる（ステップＳ４）。
【００３３】
なお、カセッテ２４内に蓄積性蛍光体パネルＰが収納されているか否かを判定するための検出処理は、例えば、作業者がコンソール１４を操作して撮影情報を設定する撮影準備を行う際、あるいは、作業者の操作によってＸ線源制御装置２２から撮影準備完了信号が出力される際に実行することにより、必要のない検出処理、あるいは、無用な蓄積性蛍光体パネルＰの待避部への移動処理を回避することができる。
【００３４】
そこで、カセッテ装填部３８に配設されたロック解除機構４６が蓋部材３０のロックを解除し、蓋部材３０が開蓋された後、吸着盤４８により蓄積性蛍光体パネルＰが吸着されてカセッテ２４から取り出され、ニップローラ５０に供給される。ニップローラ５０は、蓄積性蛍光体パネルＰを挟持して湾曲搬送路５６に供給する。湾曲搬送路５６を構成する搬送ローラ５２ａ〜５２ｇは、蓄積性蛍光体パネルＰを所定の待避部まで搬送した後、そこで待機させる。
【００３５】
ここで、ケーシング３６は、Ｘ線２０を遮蔽する材料で形成されているため、湾曲搬送路５６のどの部位を待避部としてもよいが、Ｘ線源１６から最も離間するガイド板５４ｆの近傍を待避部として蓄積性蛍光体パネルＰを搬送することにより、被曝の影響を可能な限り少なくすることができる。また、蓄積性蛍光体パネルＰを待避させる待避部近傍のみを放射線遮蔽材料で形成することにより、必要最小限のコストで蓄積性蛍光体パネルＰをＸ線２０の被曝から保護することができる。なお、消去ユニット６０を構成する消去光源６２が蛍光灯である場合、Ｘ線２０の影響で蛍光が発生するおそれがあるため、消去ユニット６０の近傍を回避して待機させることが望ましい。
【００３６】
一方、カセッテ装填部３８にカセッテ２４が装填されていない場合（ステップＳ２）、あるいは、カセッテ２４内に蓄積性蛍光体パネルＰが収納されておらず、湾曲搬送路５６に配設された何れかのセンサ５５ａ〜ｄが蓄積性蛍光体パネルＰを検出している場合には（ステップＳ３）、少なくともカセッテ装填部３８に蓄積性蛍光体パネルＰが存在しないため、蓄積性蛍光体パネルＰを待避部に移動させる処理は不要である。なお、蓄積性蛍光体パネルＰが読取装置２６のケーシング３６内にある場合には、その蓄積性蛍光体パネルＰをガイド板５４ｆ近傍の最適な待避部まで搬送するようにしてもよい。
【００３７】
蓄積性蛍光体パネルＰがケーシング３６内の所定の待避部に待避しており、あるいは、カセッテ装填部３８に蓄積性蛍光体パネルＰが存在しない場合、読取装置制御部８０は、Ｘ線源制御装置２２に対して撮影許可信号を出力する（ステップＳ５）。
【００３８】
Ｘ線源制御装置２２は、撮影許可信号が入力された後、作業者によるＸ線照射スイッチ７６からショット信号が入力されると、Ｘ線源１６を駆動して放射線画像情報の撮影を行う（ステップＳ６）。Ｘ線源１６から出力されたＸ線２０は、被写体１８を透過し、カセッテ２４に収納された蓄積性蛍光体パネルＰに照射されて放射線画像情報が蓄積記録される。撮影が終了すると、Ｘ線源制御装置２２は、撮影終了信号を読取装置制御部８０に出力する。
【００３９】
読取装置制御部８０は、Ｘ線源制御装置２２から撮影終了信号が入力された後（ステップＳ７）、作業者がカセッテ排出ボタン８８を操作することでカセッテ２４の排出指示がなされると（ステップＳ８）、パネル搬送制御部９０により湾曲搬送路５６を制御し、ケーシング３６内に待機している蓄積性蛍光体パネルＰを搬送してカセッテ２４に収納した後（ステップＳ９）、蓋部材３０を閉蓋してカセッテ装填部３８に対するカセッテ２４のロック状態を解除する（ステップＳ１０）。従って、作業者は、蓄積性蛍光体パネルＰを収納したカセッテ２４をカセッテ装填部３８から抜き取ることができる。
【００４０】
次に、放射線画像情報が蓄積記録された蓄積性蛍光体パネルＰを収納したカセッテ２４を読取装置２６に装填し、読取処理を行う場合について説明する。
【００４１】
カセッテ２４がカセッテ装填部３８に装填されると、バーコードリーダ４２がカセッテ２４に装着されているバーコードを読み取ってカセッテ２４のＩＤ情報を取得した後、ロック解除機構４６により蓋部材３０のロックが解除されて開蓋される。次いで、吸着盤４８によってカセッテ２４内の蓄積性蛍光体パネルＰが吸着されて取り出され、ニップローラ５０により湾曲搬送路５６に供給される。湾曲搬送路５６を構成する搬送ローラ５２ａ〜５２ｇは、蓄積性蛍光体パネルＰを搬送する。
【００４２】
蓄積性蛍光体パネルＰが搬送ローラ５２ｄ、５２ｅ間を副走査搬送されるとともに、励起部６８からのレーザビームＬＢが蓄積性蛍光体パネルＰを主走査することにより、放射線画像情報の読み取りが行われる。すなわち、励起部６８から出力されたレーザビームＬＢが蓄積性蛍光体パネルＰに照射されると、蓄積性蛍光体パネルＰから放射線画像情報に対応した輝尽発光光が出力される。この輝尽発光光は、集光ガイド７０を介してフォトマルチプライヤ７２に導かれ、電気信号としての放射線画像情報に変換される。読み取られた放射線画像情報は、カセッテ２４のＩＤ情報とともに図示しない記憶手段に記憶され、あるいは、コンソール１４を介して送受信機２８から外部に送信される。
【００４３】
放射線画像情報の読み取られた蓄積性蛍光体パネルＰは、一旦ガイド板５４ｆ側まで搬送された後、再び走査ユニット６６の下部を介してカセッテ装填部３８側に戻される。カセッテ装填部３８側に戻された蓄積性蛍光体パネルＰは、ニップローラ５０、搬送ローラ５２ａ間に配設されている消去ユニット６０を構成する消去光源６２から出力される消去光により、蓄積性蛍光体パネルＰに残存する放射線画像情報が除去される。
【００４４】
残存する放射線画像情報の消去処理が終了した蓄積性蛍光体パネルＰは、ニップローラ５０及び吸着盤４８を用いてカセッテ２４に収納されて蓋部材３０が閉蓋された後、カセッテ排出ボタン８８が操作されることでカセッテ装填部３８から抜き取られ、次の撮影に使用される。
【００４５】
なお、放射線画像情報の撮影を行う間には、放射線画像情報の読取処理又は消去処理を行わないことが望ましい。Ｘ線２０の影響により、読み取られた放射線画像情報にノイズが混入し、あるいは、消去むらが惹起するおそれがあるためである。
【００４６】
また、カセッテ排出ボタン８８が操作されたとき、カセッテ２４に収納されている蓄積性蛍光体パネルＰを一旦消去ユニット６０まで戻し、消去処理を再度行ってからカセッテ２４を抜き取り可能な状態とすれば、カセッテ２４がカセッテ装填部３８に放置されている間に被曝した場合であっても、確実に消去処理を行って良好な状態の蓄積性蛍光体パネルＰを再使用することができる。
【００４７】
なお、本発明は、上述した実施形態に限定されるものではなく、本発明の主旨を逸脱しない範囲で自由に変更できることは勿論である。
【００４８】
例えば、放射線画像形成システム１０を構成する読取装置２６には、撮影装置を構成するＸ線源１６が連結されているが、撮影装置とは独立に構成されて撮影室内に配置されている読取装置に対しても本発明を適用することができる。また、蓄積性蛍光体パネルＰに代えて、例えば、半導体素子を利用した他の形態からなる放射線変換パネルを読取装置２６に適用することもできる。
【図面の簡単な説明】
【００４９】
【図１】本実施形態の放射線画像形成システムの構成図である。
【図２】読取装置の内部構成図である。
【図３】放射線画像形成システムの制御ブロック図である。
【図４】読取装置の動作フローチャートである。
【符号の説明】
【００５０】
１０…放射線画像形成システム    １２…台車
１４…コンソール                １６…Ｘ線源
１８…被写体                    ２０…Ｘ線
２２…Ｘ線源制御装置            ２４…カセッテ
２６…読取装置                  ２７…バッテリ
２８…送受信機                  ６０…消去ユニット
６６…走査ユニット              ７６…Ｘ線照射スイッチ
８０…読取装置制御部            ８２…電源スイッチ
８４…走査ユニット制御部        ８６…消去ユニット制御部
８８…カセッテ排出ボタン        ９０…パネル搬送制御部
Ｐ…蓄積性蛍光体パネル
【図１】
2008090220.tif 000003
【図２】
2008090220.tif 000004
【図３】
2008090220.tif 000005
【図４】
2008090220.tif 000006